(57)【特許請求の範囲】
【請求項１】
複数の遮蔽体(11〜16)をそれぞれ開閉駆動する複数の電動モータ(21〜26)と、前記複数の電動モータ(21〜26)近傍に配置され前記複数の電動モータ(21〜26)の制御信号をそれぞれ無線で受信するとともに前記複数の電動モータ(21〜26)に前記制御信号に基づく制御電力又は制御信号をそれぞれ供給する複数のリモコン受信機(31〜36)と、前記複数のリモコン受信機(31〜36)のいずれか１つ又は複数或いは全てを選択する選択操作部(40h)とこの選択したリモコン受信機(31〜36)を表示する選択表示部(40a〜40g)とを有し前記選択したリモコン受信機(31〜36)に制御信号を無線で送信する単一のリモコン送信機(40)とを備えた遮蔽体の電動式開閉装置であって、
前記複数のリモコン受信機(31〜36)が、前記受信機能に加えて送信機能をそれぞれ有するとともに、前記リモコン送信機(40)の送信した無線信号の受信レベルを検出するレベル検出手段(31e〜36e)をそれぞれ有し、
前記単一のリモコン送信機(40)が、前記送信機能に加えて受信機能を有するとともに、前記レベル検出手段(31e〜36e)が検出しかつ前記複数のリモコン受信機(31〜36)が送信して前記単一のリモコン送信機(40)が受信した無線信号の受信レベルを表示するレベル表示部(40t〜40z)を有し、
前記リモコン送信機(40)及び前記リモコン受信機(31〜36)間の無線通信は、前記リモコン送信機(40)が前記リモコン受信機(31〜36)に前記制御信号を送信して前記電動モータ(21〜26)を制御する通常操作モードと、前記リモコン送信機(40)及び前記リモコン受信機(31〜36)間の無線信号の受信レベルを検出するメンテナンスモードとに切換え可能に構成され、
前記選択表示部(40a〜40g)が、点灯可能な複数の各選択表示部(40a〜40f)と点灯可能な単一の全選択表示部(40g)とを有するか、或いは前記複数のリモコン受信機に割り当てられた１から前記リモコン受信機の総数までの数字で表示するように構成され、
前記メンテナンスモードにおけるメンテナンス信号の受信レベルが、前記複数の各選択表示部(40a〜40f)及び前記単一の全選択表示部(40g)の点灯個数の多少により、或いは前記選択表示部が表示した数字の大小により、複数の段階で表されて、前記選択表示部(40a〜40g)が前記レベル表示部(40t〜40z)を兼ねる
ことを特徴とする遮蔽体の電動式開閉装置。
【請求項２】
複数の遮蔽体(11〜16)をそれぞれ開閉駆動する複数の電動モータ(21〜26)と、前記複数の電動モータ(21〜26)近傍に配置され前記複数の電動モータ(21〜26)の制御信号をそれぞれ無線で受信するとともに前記複数の電動モータ(21〜26)に前記制御信号に基づく制御電力又は制御信号をそれぞれ供給する複数のリモコン受信機(61〜66)と、前記複数のリモコン受信機(61〜66)のいずれか１つ又は複数或いは全てを選択する選択操作部(70b)とこの選択したリモコン受信機(61〜66)を表示する選択表示部(70a)とを有し前記選択したリモコン受信機(61〜66)に制御信号を無線で送信する単一のリモコン送信機(70)とを備えた遮蔽体の電動式開閉装置であって、
前記複数のリモコン受信機(61〜66)が、前記受信機能に加えて送信機能をそれぞれ有し、
前記単一のリモコン送信機(70)が、前記送信機能に加えて受信機能を有するとともに、前記リモコン受信機(61〜66)の送信した無線信号の受信レベルを検出するレベル検出手段(70g)と、前記レベル検出手段(70g)の検出した無線信号の受信レベルを表示するレベル表示部(70n)とを有し、
前記リモコン送信機(70)及び前記リモコン受信機(61〜66)間の無線通信は、前記リモコン送信機(70)が前記リモコン受信機(61〜66)に前記制御信号を送信して前記電動モータ(21〜26)を制御する通常操作モードと、前記リモコン送信機(70)及び前記リモコン受信機(61〜66)間の無線信号の受信レベルを検出するメンテナンスモードとに切換え可能に構成され、
前記選択表示部(70a)が、前記複数のリモコン受信機(61〜66)に割り当てられた１から前記リモコン受信機(61〜66)の総数までの数字で表示するように構成されるか、或いは点灯可能な複数の各選択表示部と点灯可能な単一の全選択表示部とを有し、
前記メンテナンスモードにおけるメンテナンス信号の受信レベルが、前記選択表示部(70a)が表示した数字の大小により、或いは前記複数の各選択表示部及び前記単一の全選択表示部の点灯個数の多少により、複数の段階で表されて、前記選択表示部(70a)が前記レベル表示部(70n)を兼ねる
ことを特徴とする遮蔽体の電動式開閉装置。
【請求項３】
前記遮蔽体がブラインド(11〜16)、カーテン又は間仕切りである請求項１又は２記載の遮蔽体の電動式開閉装置。
【発明の詳細な説明】
【技術分野】
【０００１】
本発明は、単一のリモコン送信機が複数のリモコン受信機に電動モータの制御信号を無線で送信することにより電動モータが駆動され、この電動モータの駆動により複数のブラインド、カーテン、間仕切り等の遮蔽体を開閉駆動する装置に関するものである。
【背景技術】
【０００２】
従来、この種の遮蔽体の電動式開閉装置として、複数の電動ブラインドが並設され、操作スイッチの操作信号に基づいて各電動ブラインドが同期して駆動され、操作スイッチの操作信号が各電動ブラインドのヘッドボックスに設けられた送信機及び受信機により順次隣合うヘッドボックスに無線で伝送されるように構成された連装ブラインドのスラット駆動装置が開示されている（例えば、特許文献１参照。）。
【０００３】
このように構成された連装ブラインドのスラット駆動装置では、操作スイッチの操作信号が、各電動ブラインドのヘッドボックスに内蔵された送信機から、順次後続のヘッドボックスに内蔵された受信機に送信されて、各電動ブラインドのスラットが同一の操作信号に基づいて同期して駆動される。また各ヘッドボックス間において、操作信号が送信機と受信機を介して無線で伝達されるため、信号配線を設ける必要がなく、電動ブラインドの施工工事を簡略化できるようになっている。
【０００４】
また、複数のエリアに電動ブラインドがそれぞれ設置され、送信機が、各エリアのいずれかを選択するエリア選択信号と、この選択されたエリア内の電動ブラインドの動作を制御する動作命令信号とを生成するとともに、これらの信号をリモコン信号として出力し、受信機が送信機から出力されるリモコン信号を受信して上記選択されたエリア内の電動ブラインドの動作を制御するように構成された電動ブラインドの制御装置が開示されている（例えば、特許文献２参照。）。この電動ブラインドの制御装置では、送信機が、エリア選択情報を生成するためのエリア選択スイッチと、動作命令信号を生成するための操作スイッチと、エリア選択情報を記憶するためのエリア記憶用メモリとを有する。また送信機にはＣＰＵが設けられる。このＣＰＵは、エリア選択スイッチの操作に基づいて生成されたエリア選択情報をエリア記憶用メモリに格納し、操作スイッチの操作に基づいて、エリア選択情報からエリア選択信号を生成し、エリア選択信号と動作命令信号とをリモコン信号として出力するように構成される。
【０００５】
このように構成された電動ブラインドの制御装置では、複数の操作スイッチのいずれかが操作されると、ＣＰＵはその入力信号がエリア選択情報であるか否かを検出し、エリア選択情報の入力を検出すると、そのエリア選択情報をエリア記憶用メモリに格納する。一方、エリア選択情報以外の入力信号を検出し、かつその入力信号が操作スイッチのいずれかの操作に基づく動作命令信号であると、ＣＰＵはエリア記憶用メモリに格納されているエリア選択情報に基づいてエリア選択信号を生成し、入力された動作命令信号と合成して、エリア選択信号及び動作命令信号をリモコン信号として連続出力する。このＣＰＵから出力されたリモコン信号は、ＬＥＤから赤外線信号として送信されて受信機により受信されると、受信機はブラインド制御信号を生成して出力するので、選択されたエリアの各電動ブラインドが動作する。
【０００６】
このように、送信機の操作により、各エリア毎の複数の電動ブラインドの操作が一括して行われる。具体的には、エリア選択スイッチの操作に基づくエリア選択情報が、送信機内のエリア記憶用メモリに格納された後に、複数の操作スイッチのいずれかが操作される度に、エリア選択情報に基づいて生成されたエリア選択信号と、操作されたスイッチに対応する動作命令信号とが連続して出力される。従って、同一エリアの電動ブラインドを操作する場合には、エリア選択スイッチの操作を省略することができるので、エリア毎の電動ブラインドを容易に操作できるようになっている。
【先行技術文献】
【特許文献】
【０００７】
【特許文献１】特開平６−１１７１６９号公報（請求項１、段落［００２０］〜［００２２］）
【特許文献２】特開２０００−９６９５５号公報（請求項１、段落［００２９］〜［００３４］）
【発明の概要】
【発明が解決しようとする課題】
【０００８】
しかし、上記従来の特許文献１に示された連装ブラインドのスラット駆動装置では、操作スイッチの操作信号が各電動ブラインドのヘッドボックス内の送信機及び受信機により順次隣合うヘッドボックスに無線で伝送されるので、複数の電動ブラインド用スラットが連動して開閉されるけれども、操作スイッチの操作信号により複数の電動ブラインド用スラットのいずれか１つだけを開閉することができない不具合があった。これに対し、上記従来の特許文献２に示された電動ブラインドの制御装置では、ＬＥＤから送信されたリモコン信号が受信機により受信されると、受信機がブラインド制御信号を生成して出力するので、選択されたエリアの各電動ブラインドが動作するけれども、ＣＰＵから出力されたリモコン信号が、ＬＥＤから赤外線信号として送信されて受信機により受信されるため、受信機が送信機から見えない場所に設置されると、ＬＥＤから赤外線信号として送信されたリモコン信号を受信機が受信できない問題点があった。
【０００９】
この点を解消するために、上記従来の特許文献２に示された電動ブラインドの制御装置において、ＣＰＵから出力されたリモコン信号が、赤外線信号ではなく無線で送信されて受信機により受信されるように構成する電動ブラインドの制御装置が考えられる。
【００１０】
しかし、この改良された電動ブラインドの制御装置では、単一の送信機が複数の受信機にリモコン信号を無線で送信してエリア毎に電動ブラインドを制御するため、電動ブラインドの設置後であって、各受信機が単一の送信機からの無線によるリモコン信号を受信したか否かを検査するときに、送信機から所定の受信機にリモコン信号を送信しても所定のエリアの電動ブラインドが動作しない場合、電動ブラインド、送信機又は受信機のいずれの故障であるか判別できない問題点があった。
【００１１】
電動ブラインド、送信機又は受信機のいずれの故障であるか判別するために、比較的高価なスペクトラムアナライザー等の電波測定機器を、電動ブラインドを設置している現場に持ち込んで、送信機から送信されて受信機の受信する電波の強度（受信レベル）を測定しなければならず、検査作業が煩わしい問題点があった。また、上記改良された電動ブラインドの制御装置では、受信機が送信機から見えない場所に設置されると、送信機の操作者が電動ブラインドの動作を目視で確認できないため、受信機側に電動ブラインドの動作の確認者を配置しなければならず、検査の作業性が低下する問題点もあった。
【００１２】
本発明の目的は、電波の強度を測定するための特別な測定機器を用いずに、複数のリモコン受信機を受信レベルの良好な位置にそれぞれ設置でき、これにより複数のリモコン受信機の設置作業性を向上できる、遮蔽体の電動式開閉装置を提供することにある。本発明の別の目的は、リモコン送信機を操作しても電動モータが動作しない場合、電動モータ、送信機又は受信機のいずれの故障であるかを比較的容易に判別することができるとともに、リモコン送信機の操作者が一人でリモコン送信機及びリモコン受信機間の電波の強度を確認できる、遮蔽体の電動式開閉装置を提供することにある。
【課題を解決するための手段】
【００１３】
本発明の第１の観点は、図１及び図２に示すように、複数の遮蔽体１１〜１６をそれぞれ開閉駆動する複数の電動モータ２１〜２６と、複数の電動モータ２１〜２６近傍に配置され複数の電動モータ２１〜２６の制御信号をそれぞれ無線で受信するとともに複数の電動モータ２１〜２６に上記制御信号に基づく制御電力又は制御信号をそれぞれ供給する複数のリモコン受信機３１〜３６と、複数のリモコン受信機３１〜３６のいずれか１つ又は複数或いは全てを選択する選択操作部４０ｈとこの選択したリモコン受信機３１〜３６を表示する選択表示部４０ａ〜４０ｇとを有し上記選択したリモコン受信機３１〜３６に制御信号を無線で送信する単一のリモコン送信機４０とを備えた遮蔽体の電動式開閉装置であって、複数のリモコン受信機３１〜３６が、上記受信機能に加えて送信機能をそれぞれ有するとともに、リモコン送信機４０の送信した無線信号の受信レベルを検出するレベル検出手段３１ｅ〜３６ｅをそれぞれ有し、単一のリモコン送信機４０が、上記送信機能に加えて受信機能を有するとともに、レベル検出手段３１ｅ〜３６ｅの検出しかつ複数のリモコン受信機３１〜３６が送信して単一のリモコン送信機４０が受信した無線信号の受信レベルを表示するレベル表示部４０ｔ〜４０ｚを有し、リモコン送信機４０及びリモコン受信機３１〜３６間の無線通信は、リモコン送信機４０がリモコン受信機３１〜３６に制御信号を送信して電動モータ２１〜２６を制御する通常操作モードと、リモコン送信機４０及びリモコン受信機３１〜３６間の無線信号の受信レベルを検出するメンテナンスモードとに切換え可能に構成され、選択表示部４０ａ〜４０ｇが、点灯可能な複数の各選択表示部４０ａ〜４０ｆと点灯可能な単一の全選択表示部４０ｇとを有するか、或いは複数のリモコン受信機に割り当てられた１からリモコン受信機の総数までの数字で表示するように構成され、メンテナンスモードにおけるメンテナンス信号の受信レベルが、複数の各選択表示部４０ａ〜４０ｆ及び単一の全選択表示部４０ｇの点灯個数の多少により、或いは選択表示部が表示した数字の大小により、複数の段階で表されて、選択表示部４０ａ〜４０ｇがレベル表示部４０ｔ〜４０ｚを兼ねることを特徴とする。
【００１４】
本発明の第２の観点は、図５及び図６に示すように、複数の遮蔽体１１〜１６をそれぞれ開閉駆動する複数の電動モータ２１〜２６と、複数の電動モータ２１〜２６近傍に配置され複数の電動モータ２１〜２６の制御信号をそれぞれ無線で受信するとともに複数の電動モータ２１〜２６に制御信号に基づく制御電力又は制御信号をそれぞれ供給する複数のリモコン受信機６１〜６６と、複数のリモコン受信機６１〜６６のいずれか１つ又は複数或いは全てを選択する選択操作部７０ｂとこの選択したリモコン受信機６１〜６６を表示する選択表示部７０ａとを有し上記選択したリモコン受信機６１〜６６に制御信号を無線で送信する単一のリモコン送信機７０とを備えた遮蔽体の電動式開閉装置であって、複数のリモコン受信機６１〜６６が、上記受信機能に加えて送信機能をそれぞれ有し、単一のリモコン送信機７０が、上記送信機能に加えて受信機能を有するとともに、リモコン受信機６１〜６６の送信した無線信号の受信レベルを検出するレベル検出手段７０ｇと、レベル検出手段７０ｇの検出した無線信号の受信レベルを表示するレベル表示部７０ｎとを有し、リモコン送信機７０及びリモコン受信機６１〜６６間の無線通信は、リモコン送信機７０がリモコン受信機６１〜６６に制御信号を送信して電動モータ２１〜２６を制御する通常操作モードと、リモコン送信機７０及びリモコン受信機６１〜６６間の無線信号の受信レベルを検出するメンテナンスモードとに切換え可能に構成され、選択表示部７０ａが、複数のリモコン受信機６１〜６６に割り当てられた１からリモコン受信機６１〜６６の総数までの数字で表示するように構成されるか、或いは点灯可能な複数の各選択表示部と点灯可能な単一の全選択表示部とを有し、メンテナンスモードにおけるメンテナンス信号の受信レベルが、選択表示部７０ａが表示した数字の大小により、或いは複数の各選択表示部及び単一の全選択表示部の点灯個数の多少により、複数の段階で表されて、選択表示部７０ａがレベル表示部７０ｎを兼ねることを特徴とする。
【００１６】
本発明の第３の観点は、第１又は第２の観点に基づく発明であって、更に図２に示すように、遮蔽体がブラインド１１〜１６、カーテン又は間仕切りであることを特徴とする。
【発明の効果】
【００１７】
本発明の第１の観点の遮蔽体の電動式開閉装置では、リモコン送信機が選択操作部で選択されたリモコン受信機に無線でメンテナンス信号を送信し、この選択されたリモコン受信機の信号レベル検出手段がメンテナンス信号の受信レベルを検出し、このメンテナンス信号の受信レベル情報を上記選択されたリモコン受信機がリモコン送信機に無線で送信し、更にこのメンテナンス信号の受信レベル情報がリモコン送信機のレベル表示部に表示されるので、電波の強度を測定するための特別な測定機器を用いずに、複数のリモコン受信機を受信レベルの良好な位置にそれぞれ設置できる。この結果、複数のリモコン受信機の設置作業性を向上できる。またリモコン送信機を操作しても電動モータが動作しない場合、電動モータ、リモコン送信機又はリモコン受信機のいずれの故障であるかを比較的容易に判別することができるとともに、リモコン送信機の操作者が一人でリモコン送信機及びリモコン受信機間の電波の強度を確認できる。またレベル表示部に通常使用時と同じ正味の受信レベルが表示されるので、リモコン受信機自体の受信感度を確認することができる、即ちリモコン受信機自体が正常であるか否かを確認できる。更に選択表示部がレベル表示部を兼ねるので、選択表示部とは別にレベル表示部を設ける場合と比較して、リモコン送信機を小型にすることができる。
【００１８】
本発明の第２の観点の遮蔽体の電動式開閉装置では、リモコン送信機が第１メンテナンス信号を複数のリモコン受信機のうち選択操作部で選択されたリモコン受信機に無線で送信し、この選択されたリモコン受信機が第１メンテナンス信号を無線で受信したときに第２メンテナンス信号をリモコン送信機に無線で送信し、この第２メンテナンス信号の受信レベルをリモコン送信機の信号レベル検出手段が検出し、この第２メンテナンス信号の受信レベルがリモコン送信機のレベル表示部に表示されるので、上記と同様に、電波の強度を測定するための特別な測定機器を用いずに、複数のリモコン受信機を受信レベルの良好な位置にそれぞれ設置できる。この結果、複数のリモコン受信機の設置作業性を向上できる。またリモコン送信機を操作しても電動モータが動作しない場合、電動モータ、リモコン送信機又はリモコン受信機のいずれの故障であるかを比較的容易に判別することができるとともに、リモコン送信機の操作者が一人でリモコン送信機及びリモコン受信機間の電波の強度を確認できる。また信号レベル検出手段を複数のリモコン送信機にそれぞれ設けずに単一のリモコン送信機に１つ設けるだけで済むので、装置の製作工数及び製作コストを低減できる。またリモコン受信機からリモコン送信機に送信された信号の受信レベル、即ちリモコン受信機からの返信信号の受信レベルがレベル表示部に表示されるので、リモコン送信機及びリモコン受信機間の電波の強度を検出するメンテナンスモードに切換えれば、使用環境で一方向の無線通信が成立するか否かを確認することができる。更に選択表示部がレベル表示部を兼ねるので、選択表示部とは別にレベル表示部を設ける場合と比較して、リモコン送信機を小型にすることができる。
【図面の簡単な説明】
【００２０】
【図１】本発明第１実施形態のブラインドの電動式開閉装置のリモコン送信機とリモコン受信機が無線で送受信する状態を示す構成図である。
【図２】そのリモコン送信機に設けられた選択表示部及び各釦の配置とこのリモコン送信機で開閉される複数のブラインドの配置を示すを構成図である。
【図３】通常の操作モードにおいてリモコン送信機がリモコン受信機に無線で送信した制御信号により電動モータを駆動してブラインドを開閉する動作を示すフローチャートである。
【図４】メンテナンスモードにおいてリモコン送信機がリモコン受信機に無線で送信したメンテナンス信号の電波の強度を検出し表示する動作を示すフローチャートである。
【図５】本発明第２実施形態のブラインドの電動式開閉装置のリモコン送信機とリモコン受信機が無線で送受信する状態を示す構成図である。
【図６】そのリモコン送信機に設けられた選択表示部及び各釦の配置とこのリモコン送信機で開閉される複数のブラインドの配置を示すを構成図である。
【図７】メンテナンスモードにおいてリモコン受信機がリモコン受信機に無線で送信した第２メンテナンス信号の電波の強度を検出し表示する動作を示すフローチャートである。
【発明を実施するための形態】
【００２１】
次に本発明を実施するための形態を図面に基づいて説明する。
＜第１の実施の形態＞
図２に示すように、複数の遮蔽体は、この実施の形態では、建物の部屋の窓等の開口部からの日射を取込み可能に遮蔽するように水平方向に並べて設けられた６基の横型の第１〜第６ブラインド１１〜１６である。これらのブラインド１１〜１６の電動式開閉装置は、第１〜第６ブラインド１１〜１６をそれぞれ開閉駆動（昇降駆動）する第１〜第６電動モータ２１〜２６と、第１〜第６電動モータ２１〜２６の制御信号をそれぞれ無線で受信するとともに第１〜第６電動モータ２１〜２６に制御信号に基づく制御電力又は制御信号をそれぞれ供給する第１〜第６リモコン受信機３１〜３６と、第１〜第６リモコン受信機３１〜３６のいずれか１つ又は複数或いは全てを選択する選択操作釦４０ｈとこの選択したリモコン受信機３１〜３６を表示する選択表示部４０ａ〜４０ｇとを有し上記選択したリモコン受信機３１〜３６に制御信号を無線で送信する単一のリモコン送信機４０とを備える。
【００２２】
第１〜第６ブラインド１１〜１６は、建物の窓等の開口部の上方の壁面又は天井に取付金具（図示せず）を介して取付けられるヘッドボックス１１ａ〜１６ａと、このヘッドボックス１１ａ〜１６ａから垂下された一対のラダーコード１１ｂ〜１６ｂと、これらのラダーコード１１ｂ〜１６ｂの下端に水平方向に延びて設けられ自重によりラダーコード１１ｂ〜１６ｂに張力を付与するウエイト部材１１ｃ〜１６ｃと、一対のラダーコード１１ｂ〜１６ｂにこれらの長手方向に所定の間隔をあけて水平方向に延びて支持された複数のスラット１１ｄ〜１６ｄとをそれぞれ有する。なお、この実施の形態では、遮蔽体として日射を遮る横型ブラインドを挙げたが、複数のスラットが鉛直方向に延びて設けられた縦型ブラインドやカーテン、或いは大きな部屋を複数の小部屋に区画する間仕切り等であってもよい。
【００２３】
第１〜第６電動モータ２１〜２６は第１〜第６ブラインド１１〜１６のヘッドボックス１１ａ〜１６ａ内にそれぞれ設けられる。これらの電動モータ２１〜２６の出力軸は、図示しないが減速機及び巻取りドラムを介して一対のラダーコード１１ｂ〜１６ｂに接続され、電動モータ２１〜２６の出力軸の回転により一対のラダーコード１１ｂ〜１６ｂがプーリに巻取り可能に繰出されて、複数のラダーコード１１ｂ〜１６ｂが昇降駆動されるように構成される。また第１〜第６リモコン受信機３１〜３６は第１〜第６ブラインド１１〜１６の各ヘッドボックス１１ａ〜１６ａの上方であって第１〜第６電動モータ２１〜２６近傍の壁面にそれぞれ取付けられる。リモコン受信機３１〜３６は電動モータ２１〜２６を正転、逆転又は停止のいずれかに切換えるように構成される。
【００２４】
第１〜第６リモコン受信機３１〜３６は、上記受信機能に加えて送信機能をそれぞれ有するとともに、リモコン送信機４０の送信した無線信号の受信レベルを検出するレベル検出回路３１ｅ〜３６ｅをそれぞれ有する。具体的には、第１〜第６リモコン受信機３１〜３６は、図１に示すように、アンテナ３１ａ〜３６ａと、アンテナ３１ａ〜３６ａに電気的に接続された無線周波数（ＲＦ）回路３１ｂ〜３６ｂと、無線周波数回路（ＲＦ）回路３１ｂ〜３６ｂに電気的に接続された変調回路３１ｃ〜３６ｃと、無線周波数回路（ＲＦ）３１ｂ〜３６ｂに電気的に接続された復調回路３１ｄ〜３６ｄと、復調回路３１ｄ〜３６ｄに電気的に接続された上記レベル検出回路３１ｅ〜３６ｅと、制御入力に復調回路３１ｄ〜３６ｄ及び信号レベル検出回路３１ｅ〜３６ｅが電気的に接続され制御出力に変調回路３１ｃ〜３６ｃ及び駆動回路３１ｆ〜３６ｆが電気的に接続されたＣＰＵ３１ｇ〜３６ｇと、出力にＣＰＵ３１ｇ〜３６ｇ及び駆動回路３１ｆ〜３６ｆが電気的に接続され入力に交流電源のコンセント（図示せず）が接続された電源回路３１ｈ〜３６ｈとをそれぞれ有する。アンテナ３１ａ〜３６ａはＵＨＦ波等の無線信号を送受信可能に構成され、駆動回路３１ｆ〜３６ｆの出力は電動モータ２１〜２６に電気的に接続される。また電源回路３１ｈ〜３６ｈは、無線周波数（ＲＦ）回路３１ｂ〜３６ｂ、変調回路３１ｃ〜３６ｃ、復調回路３１ｄ〜３６ｄ、レベル検出回路３１ｅ〜３６ｅ、駆動回路３１ｆ〜３６ｆ及びＣＰＵ３１ｇ〜３６ｇにそれぞれ電気的に接続され、これらの回路等に電力を供給するように構成される。
【００２５】
単一のリモコン送信機４０は、上記送信機能に加えて受信機能を有するとともに、レベル検出手段３１ｅ〜３６ｅの検出した無線信号の受信レベルを表示するレベル表示部４０ｔ〜４０ｚを有する。具体的には、リモコン送信機４０は、図１に示すように、アンテナ４０ｉと、アンテナ４０ｉに電気的に接続された無線周波数（ＲＦ）回路４０ｊと、無線周波数回路（ＲＦ）回路４０ｊに電気的に接続された変調回路４０ｋと、無線周波数回路（ＲＦ）４０ｊに電気的に接続された復調回路４０ｍと、制御入力に復調回路４０ｍ及び選択操作釦４０ｈが電気的に接続され制御出力に変調回路４０ｋ及び選択表示部４０ａ〜４０ｇが電気的に接続されたＣＰＵ４０ｎと、出力にＣＰＵ４０ｎ及び選択表示部４０ａ〜４０ｇが電気的に接続された電源回路４０ｐとを有する。アンテナ４０ｉはＵＨＦ波等の無線信号を送受信可能に構成され、電源回路４０ｐはバッテリにより構成される。また選択表示部４０ａ〜４０ｇは、第１〜第６選択表示部４０ａ〜４０ｆ（『１』〜『６』という文字をそれぞれ付した発光ダイオード）と、全選択表示部４０ｇ（『ＡＬＬ』という文字を付した発光ダイオード）とからなる。またリモコン送信機４０には、電動モータ２１〜２６を正転させてブラインド１１〜１６を上昇させる開釦４０ｑと、電動モータ２１〜２６を逆転させてブラインド１１〜１６を下降させる閉釦４０ｒと、電動モータ２１〜２６を停止させるストップ釦４０ｓとが設けられる。更に電源回路４０ｐは、選択表示部４０ａ〜４０ｇ、選択操作釦４０ｈ、無線周波数（ＲＦ）回路４０ｊ、変調回路４０ｋ、復調回路４０ｍ、ＣＰＵ４０ｎ、開釦４０ｑ、閉釦４０ｒ及びストップ釦４０ｓにそれぞれ電気的に接続され、これらの回路等に電力を供給するように構成される。
【００２６】
またリモコン送信機４０及びリモコン受信機３１〜３６間の無線通信は、リモコン送信機４０がリモコン受信機３１〜３６に制御信号を送信して電動モータ２１〜２６を制御する通常操作モードと、リモコン送信機４０及びリモコン受信機３１〜３６間の無線信号の受信レベルを検出するメンテナンスモードとに切換え可能に構成される。具体的には、通常操作モードの状態で、選択操作釦４０ｈとストップ釦４０ｓとが同時に２秒以上長押しされると、メンテナンスモードに移行し、メンテナンスモードの状態で、ストップ釦４０ｓが押されると、通常操作モードに移行するように構成される。更に上記選択表示部４０ａ〜４０ｇはレベル表示部４０ｔ〜４０ｚを兼ねるように構成される。即ち、メンテナンスモードにおけるメンテナンス信号の受信レベルが、第１〜第６選択表示部４０ａ〜４０ｆと全選択表示部４０ｇの７つの発光ダイオードを用いて、７つの段階で表されるようになっている。これにより選択表示部４０ａ〜４０ｇとは別にレベル表示部４０ｔ〜４０ｚを設ける必要がなく、リモコン送信機４０を小型にすることができる。また上記７つの発光ダイオードの点灯個数が少ないほどメンテナンス信号が弱いことを表し、７つの発光ダイオードの点灯個数が多いほどメンテナンス信号が強いことを表す。
【００２７】
このように構成されたブラインド１１〜１６の電動式開閉装置のリモコン送信機４０及びリモコン受信機３１〜３６間の無線信号の受信レベルを検出する方法を図４のフローチャートに基づいて説明する。建物の部屋の窓に沿って第１〜第６ブラインド１１〜１６を設置した後に、第１〜第６リモコン受信機３１〜３６を第１〜第６ブラインド１１〜１６の各ヘッドボックス１１ａ〜１６ａの上方であって第１〜第６電動モータ２１〜２６近傍の壁面にそれぞれ取付ける。そしてリモコン送信機４０の選択操作釦４０ｈとストップ釦４０ｓとを同時に２秒以上長押しして、リモコン送信機４０及びリモコン受信機３１〜３６間の無線信号の受信レベルを検出するメンテナンスモードに切換えると、単一のリモコン送信機４０のＣＰＵ４０ｎはチャネル１のブラインド用のリモコン受信機を選択する。即ち、単一のリモコン送信機４０のＣＰＵ４０ｎは第１ブラインド１１用の第１リモコン受信機３１を選択する。そして、単一のリモコン送信機４０のＣＰＵ４０ｎは、第１電動モータ２１の制御信号と同一レベルのメンテナンス信号を第１リモコン受信機３１に無線で送信する。具体的には、単一のリモコン送信機４０のＣＰＵ４０ｎは、上記メンテナンス信号を変調回路４０ｋで搬送波に載せて変調させ、周波数変調（ＲＦ）回路４０ｊで所定の高周波の信号に変換した後に、アンテナ４０ｉから無線で送信する。
【００２８】
この無線によるメンテナンス信号は、第１リモコン受信機３１のアンテナ３１ａで受信され、周波数変換（ＲＦ）回路３１ｂで所定の低周波の信号に変換され、更に復調回路３１ｄで搬送波から分離された後に、信号レベル検出回路３１ｅで上記メンテナンス信号の受信レベルが検出される。このメンテナンス信号の受信レベルがＣＰＵ３１ｇの制御入力に入力されると、ＣＰＵ３１ｇはこのメンテナンス信号の受信レベル情報を変調回路３１ｃで搬送波に載せて変調させ、周波数変調（ＲＦ）回路３１ｂでこの変調した信号を所定の高周波の信号に変換した後に、アンテナ３１ａから無線で送信する。この無線によるメンテナンス信号の受信レベル情報は、単一のリモコン送信機４０のアンテナ４０ｉにより受信され、周波数変換（ＲＦ）回路４０ｊで所定の低周波の信号に変換され、更に復調回路４０ｍで搬送波から分離された後に、ＣＰＵ４０ｎの制御入力に入力される。このメンテナンス信号の受信レベル情報がＣＰＵ４０ｎの制御入力に入力されると、ＣＰＵ４０ｎはこのメンテナンス信号の受信レベル情報をレベル表示部４０ｔ〜４０ｚに表示する。例えば、受信レベルが極めて良好である場合、７つの発光ダイオードを全て点灯させる。これにより単一のリモコン送信機４０及び第１リモコン受信機３１間の無線通信は極めて良好であると判断できる。
【００２９】
次に単一のリモコン送信機４０の選択操作釦４０ｈを押して、第２ブラインド１２用の第２リモコン受信機３２を選択すると、単一のリモコン送信機４０のＣＰＵ４０ｎは、変換回路４０ｋ、周波数変換（ＲＦ）回路４０ｊ及びアンテナ４０ｉを介して第２電動モータ２２の制御信号と同一レベルのメンテナンス信号を第２リモコン受信機３２に無線で送信する。この無線によるメンテナンス信号は、第２リモコン送信機３２のアンテナ３２ａで受信され、周波数変換（ＲＦ）回路３２ｂで所定の低周波の信号に変換され、更に復調回路３２ｄで搬送波から分離された後に、信号レベル検出回路３２ｅで上記メンテナンス信号の受信レベルが検出される。このメンテナンス信号の受信レベルがＣＰＵ３２ｇの制御入力に入力されると、ＣＰＵ３２ｇはこのメンテナンス信号の受信レベル情報を、変調回路３２ｃ及び周波数変調（ＲＦ）回路３２ｂを介してアンテナ３２ａから無線で送信する。この無線によるメンテナンス信号の受信レベル情報は、単一のリモコン送信機４０のアンテナ４０ｉにより受信され、周波数変換（ＲＦ）回路４０ｊ及び復調回路４０ｍを介してＣＰＵ４０ｎの制御入力に入力される。このメンテナンス信号の受信レベル情報がＣＰＵ４０ｎの制御入力に入力されると、ＣＰＵ４０ｎはこのメンテナンス信号の受信レベル情報をレベル表示部４０ｔ〜４０ｚに表示する。例えば、受信レベルが低い場合、７つの発光ダイオードのうち２つの発光ダイオードを点灯させる。これにより単一のリモコン送信機４０及び第２リモコン受信機３２間の無線通信は低いと判断できるので、第２リモコン受信機３２の位置を変更し、上記と同様にして、メンテナンス信号の受信レベル情報をレベル表示部４０ｔ〜４０ｚに表示する。この操作を単一のリモコン送信機４０及び第２リモコン受信機３２間の無線通信が良好になるまで繰返す。また第３〜第６リモコン受信機３３〜３６についても、上記と同様にして、単一のリモコン送信機４０との間の無線通信が良好になるまで、第３〜第６リモコン受信機３３〜３６の位置をそれぞれ変更する。この結果、第１〜第６リモコン受信機３１〜３６の設置作業性を向上できる。
【００３０】
また単一のリモコン送信機４０を操作しても電動モータ２１〜２６が動作しない場合、電動モータ２１〜２６、リモコン送信機４０又はリモコン受信機３１〜３６のいずれの故障であるかを比較的容易に判別することができるとともに、リモコン送信機４０の操作者が一人でリモコン送信機４０及びリモコン受信機３１〜３６間の電波の強度を確認できる。即ち、電波の強度（受信レベル）をリモコン送信機４０に表示できるため、リモコン送信機４０を持ちながら移動すれば、電波の届く距離や位置を確認できるので、リモコン受信機３１〜３６の設置位置が悪いのか、或いは周囲の電波環境が悪いのか等の判断材料の一部として活用できるとともに、電波の伝搬を遮る障害物等の発見にも役立つ。またレベル表示部４０ｔ〜４０ｚに通常使用時と同じ正味の受信レベルが表示されるので、リモコン受信機３１〜３６自体の受信感度を確認することができる、即ちリモコン受信機３１〜３６自体が正常であるか否かを確認できる。更に通常操作モードでリモコン送信機４０を操作するときのリモコン送信機４０の位置を助言できる。例えば、リモコン送信機４０の操作者に予め電波の強度が低下する位置があることを説明できる。
【００３１】
一方、通常操作モードにおける操作手順を図３のフローチャートに基づいて説明する。メンテナンスモードの状態でストップ釦４０ｓを押すと、通常操作モードに切換わる。即ち、第１〜第６リモコン受信機６１〜６６の全てを選択する『ＡＬＬ』の状態になる。この状態で、選択操作釦４０ｈを押して第３選択表示部４０ｃを選択した後に開釦４０ｑを押すと、リモコン送信機４０が第３リモコン受信機３３に、第３電動モータ２３を正転させる駆動信号を無線で送信する。この無線による駆動信号は第３リモコン受信機３３のアンテナ３３ａで受信され、周波数変換（ＲＦ）回路３３ｂで所定の低周波の信号に変換され、更に復調回路３３ｄで搬送波から分離された後にＣＰＵ３３ｇの制御入力に入力される。第３リモコン受信機３３のＣＰＵ３３ｇは上記駆動信号に基づき駆動回路３３ｆを介して第３電動モータ２３を正転させる。これにより第３ブラインド１３が上昇する。そして、所望の位置まで第３ブラインド１３が上昇したときに、ストップ釦４０ｓを押すと、リモコン送信機４０が第３リモコン受信機３３に、第３電動モータ２３を停止させる停止信号を無線で送信する。この無線による停止信号は第３リモコン受信機３３のアンテナ３３ａで受信され、周波数変換（ＲＦ）回路３３ｂで所定の低周波の信号に変換され、更に復調回路３３ｄで搬送波から分離された後にＣＰＵ３３ｇの制御入力に入力される。第３リモコン受信機３３のＣＰＵ３３ｇは上記停止信号に基づき駆動回路３３ｆを介して第３電動モータ２３を停止させる。これにより第３ブラインド１３が停止する。選択操作釦４０ｈを押して、所望の選択表示部４０ａ〜４０ｇを選択した後に開釦４０ｑを押せば、他のブラインド１１，１２，１４〜１６又は全てのブラインド１１〜１６を昇降できる。なお、メンテナンスモードから通常操作モードに切換わり、第１〜第６リモコン受信機６１〜６６の全てを選択する『ＡＬＬ』の状態で、開釦４０ｑを押すと、リモコン送信機４０が第１〜第６リモコン受信機３１〜３６に、第１〜第６電動モータ２１〜２６を正転させる駆動信号を無線で送信するので、第１〜第６ブラインド１１〜１６の全てが上昇する。
【００３２】
＜第２の実施の形態＞
図５〜図７は第２の実施の形態を示す。図５及び図６において図１及び図２と同一符号は同一部品を示す。この実施の形態では、第１〜第６リモコン受信機６１〜６６は、受信機能に加えて送信機能をそれぞれ有する。具体的には、第１〜第６リモコン受信機６１〜６６は、図５に示すように、アンテナ６１ａ〜６６ａと、アンテナ６１ａ〜６６ａに電気的に接続された無線周波数（ＲＦ）回路６１ｂ〜６６ｂと、無線周波数回路（ＲＦ）回路６１ｂ〜６６ｂに電気的に接続された変調回路６１ｃ〜６６ｃと、無線周波数回路（ＲＦ）６１ｂ〜６６ｂに電気的に接続された復調回路６１ｄ〜６６ｄと、制御入力に復調回路６１ｄ〜６６ｄが電気的に接続され制御出力に変調回路６１ｃ〜６６ｃ及び駆動回路６１ｅ〜６６ｅが電気的に接続されたＣＰＵ６１ｆ〜６６ｆと、出力にＣＰＵ６１ｆ〜６６ｆ及び駆動回路６１ｅ〜６６ｅが電気的に接続され入力に交流電源のコンセント（図示せず）が接続された電源回路６１ｇ〜６６ｇとをそれぞれ有する。アンテナ６１ａ〜６６ａはＵＨＦ波等の無線信号を送受信可能に構成され、駆動回路６１ｅ〜６６ｅの出力は電動モータ２１〜２６に電気的に接続される。また電源回路６１ｇ〜６６ｇは、無線周波数（ＲＦ）回路６１ｂ〜６６ｂ、変調回路６１ｃ〜６６ｃ、復調回路６１ｄ〜６６ｄ、駆動回路６１ｅ〜６６ｅ及びＣＰＵ６１ｆ〜６６ｆにそれぞれ電気的に接続され、これらの回路等に電力を供給するように構成される。
【００３３】
単一のリモコン送信機７０は、第１〜第６リモコン受信機６１〜６６のいずれか１つ又は全てを選択する選択操作釦７０ｂと、この選択したリモコン受信機６１〜６６を表示する選択表示部７０ａとを有する。また単一のリモコン送信機７０は、送信機能に加えて受信機能を有するとともに、リモコン受信機６１〜６６の送信した無線信号のレベルを検出するレベル検出回路７０ｇと、レベル検出手段７０ｇの検出した無線信号の受信レベルを表示するレベル表示部７０ｎとを有する。具体的には、リモコン送信機７０は、図５に示すように、アンテナ７０ｃと、アンテナ７０ｃに電気的に接続された無線周波数（ＲＦ）回路７０ｄと、無線周波数回路（ＲＦ）回路７０ｄに電気的に接続された変調回路７０ｅと、無線周波数回路（ＲＦ）７０ｄに電気的に接続された復調回路７０ｆと、復調回路７０ｆに電気的に接続されたレベル検出回路７０ｇと、制御入力に復調回路７０ｆと信号レベル検出回路７０ｇと選択操作釦７０ｂとが電気的に接続され制御出力に変調回路７０ｅ及び選択表示部７０ａが電気的に接続されたＣＰＵ７０ｈと、出力にＣＰＵ７０ｈ及び選択表示部７０ａが電気的に接続された電源回路７０ｉとを有する。アンテナ７０ｃはＵＨＦ波等の無線信号を送受信可能に構成され、電源回路７０ｉはバッテリにより構成される。また選択表示部７０ａには、第１〜第６リモコン受信機６１〜６６を選択することを意味する『１』〜『６』という数字と、第１〜第６リモコン受信機６１〜６６の全て（ＡＬＬ）を選択することを意味する『Ａ』という英文字のいずれかが表示されるようになっている。またリモコン送信機７０には、電動モータ２１〜２６を正転させてブラインド１１〜１６を上昇させる開釦７０ｊと、電動モータ２１〜２６を逆転させてブラインド１１〜１６を下降させる閉釦７０ｋと、電動モータ２１〜２６を停止させるストップ釦７０ｍとが設けられる。更に電源回路７０ｉは、選択表示部７０ａ、選択操作釦７０ｂ、無線周波数（ＲＦ）回路７０ｄ、変調回路７０ｅ、復調回路７０ｆ、レベル検出回路７０ｇ、ＣＰＵ７０ｈ、開釦７０ｊ、閉釦７０ｋ及びストップ釦７０ｍにそれぞれ電気的に接続され、これらの回路等に電力を供給するように構成される。
【００３４】
またリモコン送信機７０及びリモコン受信機６１〜６６間の無線通信は、リモコン送信機７０がリモコン受信機６１〜６６に制御信号を送信して電動モータ２１〜２６を制御する通常操作モードと、リモコン送信機７０及びリモコン受信機６１〜６６間の無線信号の受信レベルを検出するメンテナンスモードとに切換え可能に構成される。具体的には、通常操作モードの状態で、選択操作釦７０ｂとストップ釦７０ｍとが同時に２秒以上長押しされると、メンテナンスモードに移行し、メンテナンスモードの状態で、ストップ釦７０ｍが押されると、通常操作モードに移行するように構成される。更に上記選択表示部７０ａはレベル表示部７０ｎを兼ねるように構成される。即ち、メンテナンスモードにおけるメンテナンス信号の受信レベルが、選択表示部７０ａに表示される『１』〜『６』という数字を用いて、６つの段階で表されるようになっている。これにより選択表示部７０ａとは別にレベル表示部７０ｎを設ける必要がなく、リモコン送信機７０を小型にすることができる。また選択表示部７０ａに表示される数字が小さいほどメンテナンス信号が弱いことを表し、選択表示部７０ａに表示される数字が大きいほどメンテナンス信号が強いことを表す。上記以外は第１の実施の形態と同一に構成される。
【００３５】
このように構成されたブラインド１１〜１６の電動式開閉装置のリモコン送信機７０及びリモコン受信機６１〜６６間の無線信号の受信レベルを検出する方法を図７のフローチャートに基づいて説明する。建物の部屋の窓に沿って第１〜第６ブラインド１１〜１６を設置した後に、第１〜第６リモコン受信機６１〜６６を第１〜第６ブラインド１１〜１６の各ヘッドボックス１１ａ〜１６ａの上方であって第１〜第６電動モータ２１〜２６近傍の壁面にそれぞれ取付ける。そしてリモコン送信機７０の選択操作釦７０ｂとストップ釦７０ｍとを同時に２秒以上長押しして、リモコン送信機７０及びリモコン受信機６１〜６６間の無線信号の受信レベルを検出するメンテナンスモードに切換えると、単一のリモコン送信機７０のＣＰＵ７０ｈはチャネル１のブラインド用のリモコン受信機を選択する。即ち、単一のリモコン送信機７０のＣＰＵ７０ｈは第１ブラインド１１用の第１リモコン受信機６１を選択する。そして、単一のリモコン送信機７０のＣＰＵ７０ｈは、第１リモコン受信機６１に選択された旨の情報を無線で送信する。具体的には、単一のリモコン送信機７０のＣＰＵ７０ｈは、上記選択された旨の情報の信号（選択情報信号）を変調回路７０ｅで搬送波に載せて変調させ、周波数変調（ＲＦ）回路７０ｄで所定の高周波の信号に変換した後に、アンテナ７０ｃから無線で送信する。
【００３６】
この無線による選択情報信号は、上記選択された第１リモコン受信機６１のアンテナ６１ａで受信され、この第１リモコン受信機６１の周波数変換（ＲＦ）回路６１ｂで所定の低周波の信号に変換され、更に復調回路６１ｄで搬送波から分離された後に、ＣＰＵ６１ｆの制御入力に入力される。第１リモコン受信機６１のＣＰＵ６１ｆは第１リモコン受信機６１が選択されたと判断し、第１電動モータ２１の制御信号と同一レベルのメンテナンス信号を変調回路６１ｃで搬送波に載せて変調させ、周波数変調（ＲＦ）回路６１ｂで所定の高周波の信号に変換した後に、アンテナ６１ａから無線で送信する。
【００３７】
この無線によるメンテナンス信号は、リモコン送信機７０のアンテナ７０ｃで受信され、周波数変換（ＲＦ）回路７０ｄで所定の低周波の信号に変換され、更に復調回路７０ｆで搬送波から分離された後に、信号レベル検出回路７０ｇで上記メンテナンス信号の受信レベルが検出される。このメンテナンス信号の受信レベル情報がＣＰＵ７０ｈの制御入力に入力されると、ＣＰＵ７０ｈはこのメンテナンス信号の受信レベル情報をレベル表示部７０ｎに表示する。例えば、受信レベルが極めて良好である場合、レベル表示部７０ｎに『６』という数字を表示させる。これにより単一のリモコン送信機７０及び第１リモコン受信機６１間の無線通信は極めて良好であると判断できる。
【００３８】
次に単一のリモコン送信機７０の選択操作釦７０ｂを押して、第２ブラインド１２用の第２リモコン受信機６２を選択すると、単一のリモコン送信機７０のＣＰＵ７０ｈは、変換回路７０ｅ、周波数変換（ＲＦ）回路７０ｄ及びアンテナ７０ｃを介して第２リモコン受信機６２が選択された旨の情報の信号（選択情報信号）を第２リモコン受信機６２に無線で送信する。この無線による選択情報信号は、第２リモコン受信機６２のアンテナ６２ａで受信され、周波数変換（ＲＦ）回路６２ｂで所定の低周波の信号に変換され、更に復調回路６２ｄで搬送波から分離された後に、ＣＰＵ６２ｆの制御入力に入力される。第２リモコン受信機６２のＣＰＵ６２ｆは第２リモコン受信機６２が選択されたと判断し、第２電動モータ２２の制御信号と同一レベルのメンテナンス信号を変調回路６２ｃで搬送波に載せて変調させ、周波数変調（ＲＦ）回路６２ｂで所定の高周波の信号に変換した後に、アンテナ６２ａから無線で送信する。
【００３９】
この無線によるメンテナンス信号は、上記と同様に、リモコン送信機７０のアンテナ７０ｃで受信され、周波数変換（ＲＦ）回路７０ｄで所定の低周波の信号に変換され、復調回路７０ｆで搬送波から分離された後に、信号レベル検出回路７０ｇで上記メンテナンス信号の受信レベルが検出される。このメンテナンス信号の受信レベル情報がＣＰＵ７０ｈの制御入力に入力されると、ＣＰＵ７０ｈはこのメンテナンス信号の受信レベル情報をレベル表示部７０ｎに表示する。例えば、受信レベルが低い場合、レベル表示部７０ｎに『２』という数字を表示させる。これにより単一のリモコン送信機７０及び第２リモコン受信機６２間の無線通信は低いと判断できるので、第２リモコン受信機６２の位置を変更し、上記と同様にして、メンテナンス信号の受信レベル情報をレベル表示部７０ｎに表示する。この操作を単一のリモコン送信機７０及び第２リモコン受信機６２間の無線通信が良好になるまで繰返す。また第３〜第６リモコン受信機６３〜６６についても、上記と同様にして、単一のリモコン送信機７０との間の無線通信が良好になるまで、第３〜第６リモコン受信機６３〜６６の位置をそれぞれ変更する。この結果、第１〜第６リモコン受信機６１〜６６の設置作業性を向上できる。
【００４０】
また信号レベル検出手段７０ｇを第１〜第６リモコン受信機６１〜６６にそれぞれ設けずに単一のリモコン送信機７０に１つ設けるだけで済むので、装置の製作工数及び製作コストを低減できる。更にリモコン受信機６１〜６６からリモコン送信機７０に送信された信号の受信レベル、即ちリモコン受信機６１〜６６からの返信信号の受信レベルがレベル表示部７０ｎに表示されるので、リモコン送信機７０とリモコン受信機６１〜６６間の電波の強度を検出するメンテナンスモードに切換えれば、使用環境で一方向の無線通信が成立するか否かを確認することができる。
【００４１】
なお、メンテナンスモードにおける上記以外の動作は第１の実施の形態の動作と略同様であるので、繰返しの説明を省略する。また、通常操作モードにおける操作手順は第１の実施の形態の操作手順と略同様であるので、繰返しの説明を省略する。また、上記第１及び第２の実施の形態では、ブラインドを６基設置したが、ブラインドを２基〜５基又は７基以上設置してもよい。更に、上記第１及び第２の実施の形態では、通常操作モードからメンテナンスモードに切換えるために、選択操作釦とストップ釦とを同時に２秒以上長押ししたが、２秒以上に限らず、３秒以上であってもよい。
【符号の説明】
【００４２】
１１〜１６  第１〜第６ブラインド（第１〜第６遮蔽体）
２１〜２６  第１〜第６電動モータ
３１〜３６，６１〜６６  第１〜第６リモコン受信機
３１ｅ〜３６ｅ，７０ｇ  レベル検出回路（レベル検出手段）
４０，７０  リモコン送信機
４０ａ〜４０ｇ，７０ａ  選択表示部
４０ｈ，７０ｂ  選択操作釦（選択操作部）
４０ｔ〜４０ｚ，７０ｎ  レベル表示部
【図１】
0005744608.tif 000002
【図２】
0005744608.tif 000003
【図３】
0005744608.tif 000004
【図４】
0005744608.tif 000005
【図５】
0005744608.tif 000006
【図６】
0005744608.tif 000007
【図７】
0005744608.tif 000008